(57)【要約】      （修正有）【課題】連続状の記録媒体に両面印刷が行える印刷システムにおいて、直観的な操作が行えるプレビュー表示が行える構成を提供する。【解決手段】記録媒体の表面に印刷する一部の画像を表示可能な第１のプレビュー領域と、裏面に印刷する一部の画像を表示可能な第２のプレビュー領域とに分けて、プレビュー画面を表示する印刷システムでスクロール動作が行われた場合に、第１のプレビュー領域と第２のプレビュー領域とが、連動してスクロールされるようにする。このようにすることで、ユーザの直観的な操作が可能となる。【選択図】図１０
2015101038.tif 000002
【特許請求の範囲】
【請求項１】
記録媒体の表面に印刷する複数の画像のうち一部の画像を表示可能な第１のプレビュー領域と、裏面に印刷する複数の画像のうち一部の画像を表示可能な第２のプレビュー領域とに分けて、画面に表示するように制御する制御手段と、
前記表面に印刷する複数の画像のうち前記第１のプレビュー領域に表示される一部の画像から、前記表面に印刷する他の画像への切り替えを受け付け、かつ、前記裏面に印刷する複数の画像のうち前記第２のプレビュー領域に表示される一部の画像から、前記裏面に印刷する他の画像への切り替えを受け付ける切替受付手段と、を有し、
前記切替受付手段は、前記第１のプレビュー領域と前記第２のプレビュー領域とが、連動して切り替わるように受け付けることを特徴とする印刷システム。
【請求項２】
前記制御手段は、前記第１のプレビュー領域と前記第２のプレビュー領域のいずれか一方の表示を、記録媒体の面に印刷する際の表示を表裏反転させて表示することを特徴とする請求項１に記載の印刷システム。
【請求項３】
当該印刷システムは、ロール状の記録媒体の両面に複数の画像を連続して印刷するものであり、
前記制御手段は、前記切替受付手段で切り替えが受け付けられた場合に、当該切り替えの動作と連動してロール状の記録媒体の太さが変化して表示されるように制御することを特徴とする請求項１または２に記載の印刷システム。
【請求項４】
前記制御手段が前記第１のプレビュー領域と前記第２のプレビュー領域とを表示する前記画面は、タッチパネル式のディスプレイであり、
前記切替受付手段は、ユーザによる前記タッチパネル式のディスプレイの操作に応じて、切り替えを受け付けることを特徴とする請求項１乃至３のいずれか１項に記載の印刷システム。
【請求項５】
前記表面に印刷するいずれか１つの画像と前記裏面に印刷するいずれか１つの画像との交換を受け付ける交換受付手段をさらに有することを特徴とする請求項１乃至４のいずれか１項に記載の印刷システム。
【請求項６】
前記交換受付手段は、前記表面に印刷するいずれか１つの画像と、前記表面に印刷するいずれか１つの他の画像との交換も受け付け可能であり、かつ、前記裏面に印刷するいずれか１つの画像と、前記裏面に印刷するいずれか１つの他の画像との交換も受け付け可能であることを特徴とする請求項５に記載の印刷システム。
【請求項７】
前記交換受付手段は、記録媒体における第１の画像と第２の画像との位置関係があらかじめ規定されている場合には、前記第１の画像と第３の画像との交換に連動して、前記第２の画像も前記第３の画像に対応する第４の画像と入れ替えることを特徴とする請求項５または６に記載の印刷システム。
【請求項８】
記録媒体の表面に印刷する複数の画像のうち一部の画像を表示可能な第１のプレビュー領域と、裏面に印刷する複数の画像のうち一部の画像を表示可能な第２のプレビュー領域とに分けて、画面に表示するように制御する制御工程と、
前記表面に印刷する複数の画像のうち前記第１のプレビュー領域に表示される一部の画像から、前記表面に印刷する他の画像への切り替えを受け付け、かつ、前記裏面に印刷する複数の画像のうち前記第２のプレビュー領域に表示される一部の画像から、前記裏面に印刷する他の画像への切り替えを受け付ける切替受付工程と、を有し、
前記切替受付工程では、前記第１のプレビュー領域と前記第２のプレビュー領域とが、連動して切り替わるように受け付けることを特徴とする印刷システムの制御方法。
【請求項９】
記録媒体の表面に印刷する複数の画像のうち一部の画像を表示可能な第１のプレビュー領域と、裏面に印刷する複数の画像のうち一部の画像を表示可能な第２のプレビュー領域とに分けて、画面に表示するように制御する制御手段、
前記表面に印刷する複数の画像のうち前記第１のプレビュー領域に表示される一部の画像から、前記表面に印刷する他の画像への切り替えを受け付け、かつ、前記裏面に印刷する複数の画像のうち前記第２のプレビュー領域に表示される一部の画像から、前記裏面に印刷する他の画像への切り替えを受け付ける切替受付手段、として印刷システムを機能させるプログラムであり、
前記切替受付手段として、前記第１のプレビュー領域と前記第２のプレビュー領域とが、連動して切り替わるように受け付けることを特徴とするプログラム。
【発明の詳細な説明】
【技術分野】
【０００１】
本発明は、印刷システム、印刷システムの制御方法、およびプログラムに関する。
【背景技術】
【０００２】
商業印刷分野においては、多量の印刷物を一括で印刷することが行われてきた。しかし、近年小ロットの印刷要求が多くなっており、小ロットの写真印刷やフォトブック等の印刷が行えるインクジェット方式の記録装置の開発がすすめられている。
【０００３】
このようなインクジェット方式の記録装置では、連続状（ロール状）の記録媒体に一括して複数の画像の印刷を行い、その後裁断装置で裁断してカット状の記録媒体としたり、裁断装置で裁断し製本してフォトブック等を作成している。
【０００４】
ところで、このような記録媒体への印刷前には、カット状の記録媒体に印刷する際と同様に、複数の印刷画像をプレビュー表示することが求められている。さらに、このようなプレビュー表示においては、特許文献１に開示されているように直観的な操作でどのような画像を印刷するのかが確認できることが求められる。
【０００５】
特許文献１には、複数の画像をタッチパネル式の画面にプレビュー表示させ、画面上でタッチ操作することで、複数の画面をスクロールさせたり、印刷する位置を移動させたり、プレビュー表示を拡大させたりできる表示装置について開示されている。
【先行技術文献】
【特許文献】
【０００６】
【特許文献１】特開２０１３−１０６１００号公報
【発明の概要】
【発明が解決しようとする課題】
【０００７】
しかしながら、特許文献１では連続状の記録媒体に両面印刷を行う印刷システムにおけるプレビュー表示については考慮しておらず、このような印刷システムにおける直観的な操作でどのような画面を印刷するのか確認する手法は開示されていない。
【０００８】
そこで本発明では、連続状の記録媒体に両面印刷が行える印刷システムにおいて、直観的な操作が行えるプレビュー表示が行える構成を提供することを目的としている。
【課題を解決するための手段】
【０００９】
上記目的を達成するために、本発明の印刷システムは、記録媒体の表面に印刷する複数の画像のうち一部の画像を表示可能な第１のプレビュー領域と、裏面に印刷する複数の画像のうち一部の画像を表示可能な第２のプレビュー領域とに分けて、画面に表示するように制御する制御手段と、前記表面に印刷する複数の画像のうち前記第１のプレビュー領域に表示される一部の画像から、前記表面に印刷する他の画像への切り替えを受け付け、かつ、前記裏面に印刷する複数の画像のうち前記第２のプレビュー領域に表示される一部の画像から、前記裏面に印刷する他の画像への切り替えを受け付ける切替受付手段と、を有し、前記切替受付手段は、前記第１のプレビュー領域と前記第２のプレビュー領域とが、連動して切り替わるように受け付けることを特徴としている。
【発明の効果】
【００１０】
このように第１のプレビュー領域と第２のプレビュー領域とが、連動して切り替わるように設けることにより、連続状の記録媒体に両面印刷が行える印刷システムにおいて、直観的な操作が行えるプレビュー表示を行うことができる。
【図面の簡単な説明】
【００１１】
【図１】本発明に係る印刷システムの概略図である。
【図２】本発明に係る印刷システムのブロック図である。
【図３】本発明に係る印刷システムのモジュール構成図である。
【図４】印刷ジョブを受信した際の流れを説明するためのフローチャートである。
【図５】ジョブデータを読み出し、ロール紙ＵＩ描画処理を行うまでの流れを説明するためのフローチャートである。
【図６】描画生成処理を説明するためのフローチャートである。
【図７】ロール紙ＵＩ描画処理を説明するためのフローチャートである。
【図８】ロール紙ＵＩを描画している様子を示す図である。
【図９】スクロールした際の処理を説明するフローチャート及び図である。
【図１０】スクロールした際のロール紙ＵＩを描画している様子を示す図である。
【図１１】プレビュー画面上で画像の交換を行う際の処理を説明するためのフローチャートである。
【図１２】プレビュー画面上で画像の交換を行う際の様子を説明する図である。
【図１３】プレビュー画面上で画像の交換を行う際の様子を説明する図である。
【図１４】連携処理を説明するためのフローチャートである。
【図１５】連携処理を行う際の様子を説明する図である。
【図１６】連携処理を行う際の様子を説明する図である。
【発明を実施するための形態】
【００１２】
以下、図を参照して本発明の実施形態について詳細に説明する。
【００１３】
図１は、ロール状に巻かれた記録用紙（以下、ロール紙とも称する）の両面に複数の画像を連続して印刷印刷を行うことができる印刷システム１００（記録装置とも称する）の概略図である。本実施形態においては、インクジェット方式の記録装置を例に以下説明を行うが、インクジェット方式以外の記録装置でも適用可能である。また、ロール紙のみならず長尺の記録用紙にも適用可能である。
【００１４】
ロール紙へ記録できる印刷システム１００では、印刷前のロール状の記録媒体１０１が印刷部１０６へと搬送れて記録動作が行われ、印刷後にロール状の記録媒体１０３として巻き取られる。印刷部１０６は、表面印刷部１０２と裏面印刷部１０４とを有しておりそれぞれ記録媒体の表面と裏面にたいして記録動作を行う。具体的には、外部の情報処理装置等から入力される画像データに基づいて、表面印刷部１０２と裏面印刷部１０４の記録素子を駆動させてインクを吐出することで記録動作を行っている。
【００１５】
このような画像データ等のジョブ情報はディスプレイ１０５で確認することができ、具体的にはこれから記録媒体に印刷するプレビュー画面をディスプレイ１０５で確認することができる。また、ディスプレイ１０５はタッチパネル式に設けることができ、印刷システム１００は、このような入力端末を用いてディスプレイ１０５に表示されたプレビュー画面に基づいて記録動作の開始を行う旨の指示を、ユーザ（オペレータ）から受け付けることができる。
【００１６】
次に図２を参照して、図１に示す印刷システム１００のハードウェア構成の一例について説明する。
【００１７】
ＣＰＵ２０１は、システムバスに接続される各デバイスやコントローラを統括的に制御する。
【００１８】
また、ＲＯＭ２０３あるいは外部メモリ２０９には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００１９】
ＣＰＵ２０１は、処理の実行に際して必要なプログラム等をＲＡＭ２０３にロードして、プログラムを実行することで各種動作を実現するものである。
【００２０】
ビデオコントローラ２０５は、タッチパネル式のディスプレイ１０５等への表示制御を行うことができ、入力コントローラ２０４は、タッチパネル式のディスプレイ１０５などを入力端末２１１の入力制御を行うことができる。なお入力端末２１１としては、タッチパネル式のディスプレイ１０５のみならずキーボードやマウス等からも入力可能にすることが好ましい。
【００２１】
メモリコントローラ２０６は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２０９へのアクセスを制御する。
【００２２】
通信Ｉ／Ｆコントローラ（通信Ｉ／ＦＣ）２０７は、ネットワークを介して、外部機器と接続・通信するものであり、ネットワークでの通信制御処理を実行する。例えば、ＴＣＰ／ＩＰを用いたインターネット通信等が可能である。このようなネットワークを介して印刷システム１００は、外部から画像データなどの印刷指示を受け付けることができる。
【００２３】
さらに、ＣＰＵ２０１は、外部から画像データなどの印刷ジョブ情報が入力されると、ＲＡＭ２０３に保存させ、さらにこれらの画像データに基づいて印刷部１０６へ印刷指示を行うこともできる。
【００２４】
なお、ＣＰＵ２０１は、例えばＲＡＭ２０３内の表示情報用領域へアウトラインフォントの展開（ラスタライズ）処理を実行することにより、ディスプレイ１０５上での表示を可能としている。また、ＣＰＵ２０１は、ディスプレイ１０５上の不図示のマウスカーソル等でのユーザ指示を可能とする。
【００２５】
本発明を実現するための各種プログラムは外部メモリ２０９に記録されており、必要に応じてＲＡＭ２０３にロードされることによりＣＰＵ２０１によって実行されるものである。さらに、上記プログラム実行時に用いられる定義ファイル及び各種情報テーブル等も、外部メモリ２０９に格納されており、これらについては後述する。
【００２６】
次に、図３を用いて本発明に係る印刷システムが備える機能を説明するための機能ブロック図である。処理部３０１には、ジョブ受け付け部３０２と描画画像生成部３０３とＵＩ表示処理部３０４とＵＩ操作処理部３０５と画像変換処理部３０６が設けられている。保存部３０７には、ジョブ保存部３０８と、画像保存部３０９と、状態保存部３１０とが設けられている。さらに、デバイス制御部３１１には、印刷制御部３１２とタッチパネル制御部３１３が設けられている。
【００２７】
まずジョブ受け付け部３０２は、通信Ｉ／Ｆコントローラ２０７経由で外部の情報処理装置等から受け付けた画像データ等を含む印刷指示のジョブデータの受付処理を行う。そしてジョブ受け付け部３０２で受け付けられたジョブデータは、ジョブ保存部３０８に一時的に保存される（記憶される）。
【００２８】
その後、ジョブ保存部３０８に保存されたジョブデータは読み出され、描画画像生成部３０３によって画像生成処理が行われ、変換後のジョブデータが画像保存部３０９に保存される。具体的には描画画像生成部３０３においては、ジョブデータをベクターデータからラスターデータに変換する変換処理が行われている。印刷を行う際には、このように処理され、画像保存部３０９に保存されているラスターデータが印刷制御部３１２に送られ、印刷部１０６に印刷指示をすることで記録動作が実施される。
【００２９】
また、画像保存部３０９に保存されたラスターデータは、ＵＩ表示処理部３０４で表示処理ラスターデータとして処理された後に、タッチパネル制御部３１３に転送され、タッチパネル式のディスプレイ１０５にロール紙状に表示される。
【００３０】
ディスプレイ１０５に表示された表示処理ラスターデータは、タッチパネルを介して入力されたユーザ操作に応じてその表示状態を更新することができる。例えば、ユーザのタッチ操作が発生した場合には、例えばスクロール量等のユーザの操作情報がタッチパネルからタッチパネル制御部３１３経由でＵＩ操作処理部３０５に送信される。そして、ＵＩ操作処理部３０５が受け付けたユーザの操作情報に基づいて、画像保存部３０９に格納されているラスターデータを加工した後に、タッチパネル制御部３１３に転送され、タッチパネル式のディスプレイ１０５にロール紙状に表示される。
【００３１】
状態保存部３１０は、ＵＩ操作処理部３０５が受け付けたユーザの操作情報をもとに、ラスターデータを加工する際の情報保存部として使用される。状態保存部３１０には、座標情報、タッチフラグ、タッチ種別、表裏描画状態、頁位置情報、製本設定情報、終了フラグ等が格納されている。記録装置の起動時は初期値として、タッチフラグは「ＯＦＦ」が、前回タッチラベルは「なし」が、表裏描画状態は「表面描画状態」、終了フラグは「ＯＦＦ」がそれぞれ格納されている。
【００３２】
次に、図４を用いて、印刷システム１００が外部の情報処理装置等から通信Ｉ／Ｆコントローラ２０７等を介して印刷ジョブを受信する流れについて説明する。このような処理は、印刷システム１００のＣＰＵ２０１で行われる。
【００３３】
ステップＳ４０１では、処理部３０１のジョブ受付部３０２が、通信Ｉ／Ｆコントローラ２０７等を介して送信されたジョブデータを受信する。次に、ステップＳ４０２では、ジョブ受付部３０２が受け付けたジョブデータを、保存部３０７のジョブ保存部３０８に保存する。
【００３４】
このようにすることで、印刷システム１００にジョブデータが保存されていく。
【００３５】
次に、図５〜図７のフローチャートを用いて、印刷システム１００に保存されたジョブデータを用いてディスプレイ１０５に描画する処理（以下、プレビュー表示とも称する）について説明する。このような処理は、印刷システム１００のＣＰＵ２０１で行われる。
【００３６】
図５は、ジョブデータを読み出し、実際に印刷動作を行うまでの流れを説明するためのフローチャートである。
【００３７】
ステップＳ５０１では、ジョブ保存部３０８から保存されているジョブデータを読み出す。次にステップＳ５０２では、画像変換処理部３０６が、読み出されたベクター形式のジョブデータを用いてラスターデータを作成する変換処理（ＲＩＰ処理）を行う。
【００３８】
次に、Ｓ５０３では、画像変換処理部３０６が作成されたラスターデータを画像保存部３０９に保存する。次に、Ｓ５０４では、描画画像生成部３０３がラスターデータを用いてプレビュー表示をするために用いる描画画像生成処理を行う。Ｓ５０５では、描画画像生成部３０３がＳ５０４で生成された描画画像をディスプレイ１０５に表示するロール紙ＵＩ描画処理を行う。
【００３９】
次に、Ｓ５０６では、Ｓ５０２で生成されたラスターデータを用いてプレビュー表示通りになるように、印刷制御部３１２が印刷部１０６に印刷処理を行う。具体的にはジョブ処理部３０３が、ラスターデータを、印刷制御部３１２に送信する。この際に、表面に印刷するか、裏面に印刷するかのジョブ属性情報も併せて印刷制御部３１２に送信する。これによりラスターデータジョブ情報を受け取った印刷制御部３１２は、ロール紙に対して印刷処理が実施される。
【００４０】
図６は、図５のステップＳ５０４の描画生成処理を説明するためのフローチャートである。
【００４１】
ステップＳ６０１では、描画画像生成部３０３がジョブ保存部３０８に保存されているジョブデータから、ジョブ属性情報を取得する。ジョブ属性情報としては、表面印刷するか、及び、裏面印刷する場合、どの表面印刷に対応して裏面印刷するかの情報が格納されている。
【００４２】
ステップＳ６０２では、描画画像生成部３０３がステップＳ５０３で画像保存部３０９に保存したラスターデータを取得する。さらにステップＳ６０３では、描画画像生成部３０３がＳ６０１で取得したジョブ属性情報を用いてラスターデータを表示用画像データに変換する処理を行う。
【００４３】
ステップＳ６０４では、ステップＳ６０２で描画処理したラスターデータが、表面印刷するのか、それとも、裏面印刷するのかの判断を実施する。
【００４４】
ステップＳ６０４において、表面に印刷すると判断されたラスターデータは、ステップＳ６０５において、ジョブ処理部３０３により、画像保存部３０７内の表面画像保存部に保存される。
【００４５】
ステップＳ６０４において、裏面に印刷すると判断されたラスターデータは、ステップＳ６０６において、ジョブ処理部３０３により、画像保存部３０７内の裏面画像保存部に保存される。
【００４６】
このような図６に示す一連の処理は画像データ１枚ごとに行われ、ジョブデータに含まれるロール紙一本分のジョブ処理が完了するまで繰り返し行われる。ロール紙一本分のジョブ処理が行われたと判断された場合には、ステップＳ５０６のロール紙ＵＩ描画処理に進む。
【００４７】
図７は、図５のステップＳ５０６のロール紙ＵＩ描画処理を説明するためのフローチャートである。ここでは、ユーザがタッチパネル式のディスプレイ１０５や入力端末２１１等を介して、ＵＩ操作処理部３０５が受け付けたユーザの操作情報をもとに、ラスターデータを加工してロール紙ＵＩ描画処理をおこなう場合を例に示す。
【００４８】
ステップＳ７０１では、状態保存部３１０より表示画像保存情報を取得する。ステップＳ７０２では、Ｓ７０１で取得した表示画像保存情報から、Ｓ５０４で描画生成処理された表示画像がディスプレイ１０５に表示可能かを算出する。具体的には、画像の印刷幅の情報や、画像の枚数、ディスプレイの大きさ、プレビュー表示の縮尺状態等により表示可能かを判断することができる。
【００４９】
ステップＳ７０３では、ステップＳ７０２の算出結果をもとに全画面を表示できるかどうかを判断する。ステップＳ７０３で、全画面を表示できると判断された場合には、全表示画像を表示する。このように表示された画像のプレビュー画面が図８（ａ）である。
【００５０】
ステップＳ７０３で全画面を表示できないと判断された場合には、一部画像（ロール紙）を表示する。このように表示された画像のプレビューが図８（ｂ）である。
【００５１】
図８に示すように、プレビュー画面の上側の領域４０１（第１のプレビュー領域）は、ロール紙の表面側に印刷される画像が表示されており、プレビュー画面の下側の領域４０２（第２のプレビュー領域）は、ロール紙の裏側に印刷される画像が表示されており、それぞれ上側の画像と下側の画像とが対応するように表示されている。
【００５２】
さらに、領域４０１と領域４０２のいずれか一方の表示を、記録媒体の面に印刷する際の表示とは表裏反転して表示しておくことが好ましい。このようにプレビュー画面を表示しておくことにより、実際に印刷された記録媒体の表裏の状態をユーザに視認させやすくすることができる。
【００５３】
図８（ａ）では全画面表示できているため、この場合にはロール紙の画像は表示されていないが、図８（ｂ）では一部画像しか表示できていないため、ロール紙が表示されている。
【００５４】
なお、図８では、プレビュー画面の上側が表面側で、プレビュー画面の下側が裏面側となるように表示しているが、逆でも良いし、左右に分けて表示してもよい。
【００５５】
また、プレビュー画面には、『ＯＫ』釦４０３、『Ｃａｎｃｅｌ』釦４０４に加え、後述する『見開き連携』釦４０５等も表示するように制御されている。
【００５６】
次に、このようにプレビュー表示されている画面上で、ユーザがスクロール動作が行われた際の処理について説明する。図９（ａ）は、スクロール処理のフローチャートであり、このような処理は、印刷システム１００のＣＰＵ２０１で行われる。図９（ｂ）はディスプレイ１０５上で行われるスクロール処理を説明する図である。
【００５７】
タッチパネル式のディスプレイ１０５に対するユーザ操作時には、ディスプレイ１０５からタッチパネル制御部３１３経由で、ＵＩ表示処理部３０４にユーザ操作情報が送信される。具体的には、ユーザ操作時にディスプレイ１０５からタッチパネル制御部３１３経由で、ＵＩ表示処理部３０４に送信されるユーザ操作情報は、主に、座標情報とタッチ種別である。
【００５８】
タッチ種別としては、大きく分けてユーザの手が１点をタッチするタップ動作と、ユーザの手がタッチした状態で移動するスクロール動作の２つがある。
【００５９】
タップ動作が行われた際には、座標情報として１点の情報がタッチパネル制御部３１３に送信される。
【００６０】
一方スクロール動作が行われた際には、座標情報として、タッチパネルにユーザの手が触れた時点の第１の座標情報（Ｘｂ、Ｙｂ）と第２の座標情報（Ｘｎ、Ｙｎ）と、ディスプレイ１０５からタッチパネル制御部３１３に送信される。
【００６１】
図９（ａ）のステップＳ９０１では、第１の座標情報と第２の座標情報のうち、Ｘ方向の移動量をスクロール情報として取得される。そして、ステップＳ９０１では、取得した移動量を移動させた後の一部画像をディスプレイ１０５に切り替えて表示する。なお、移動量によっては、複数の画像が切り替わってもよいし、１枚の画像だけが切り替わってもよいし、１枚の画像の半分だけが表示されている状態で止まっていてもよい。すなわち、移動量を取得されると、プレビュー画面上で画像の切り替え動作を行う処理が受け付けられ（切替受付）、その分表示領域が移動したプレビュー画面が表示されることになる。
【００６２】
このようにスクロール動作を行った際のディスプレイ１０５の表示を図１０に示す。図１０（ａ）に示すように、表面側のプレビュー画面が表示されている領域４０１と裏面側のプレビュー画面が表示されている領域４０１があるが、いずれかの領域でスクロール動作が行われると、両方の画像が移動するようにディスプレイ１０５には表示が行われる。
【００６３】
図１０（ａ）では、領域４０２でスクロール動作が行われた例を示しているが、このとき、領域４０１の画像も連動してスクロールされる。このように表面側の画像と裏面側の画像とが連動して移動する（切り替わる）ように制御することで、表面の画像と裏面の画像との位置関係を認識しやすくプレビュー表示させることができる。すなわち、ユーザの直観的な操作を行うことができるプレビュー表示とすることができる。
【００６４】
図１０（ｂ）は、Ｘ方向にページが進むようにスクロール動作がされたのちプレビュー画面を表示している。このときロール紙の残り量が徐々に少なくなるように表示することが好ましい。逆に、Ｘ方向にページが戻るようにスクロール動作が行われる場合には、ロール紙の残り量が徐々に多くなるように表示することが好ましい。スクロール動作に連動してロール状の記録媒体の太さが変化して表示されるようにロール紙の画像を表示させることにより、現在プレビュー画面で表示されている画像がいずれの位置に印刷されるかを直観的にユーザに認識させることができる。
【００６５】
次に、図１１〜図１３を用いて、プレビュー画面上で画像の交換動作が行われる際の処理を説明する。
【００６６】
図１１は、プレビュー画面上で画像を印刷する位置を変更するために、画像の変換処理を行う際の処理を説明するためのフローチャートである。このような処理は、印刷システム１００のＣＰＵ２０１で行われる。図１２は、交換する画像を選択して変更する際の操作を示している図である。
【００６７】
交換動作では、まず図１２（ａ）に示すように１つの画像を選択する。選択した画像は、領域４０６に表示されるため、何の画像が現在選択されているか把握することができる。次に、図１２（ａ）で選択された画像を変更する相手側の画像を選択する。選択した画像は、領域４０７に表示されるため、何の画像が現在選択されているか把握することができる。このとき、図１２（ａ）と図１２（ｂ）に示すようにディスプレイ１０５上で選択されている画像情報は、状態保存部３１０に保存されている。
【００６８】
このように２つの画像が選択されている状態で『ＯＫ』釦４０３がタッチされると、領域４０６に表示されている画像と、領域４０７に表示されている画像とが交換され、図１２（ｃ）に示すように交換後のプレビュー画面が表示されることになる。なお、少なくとも１つの画像が選択されている状態で、『Ｃａｎｃｅｌ』釦４０４がタッチされると、選択状態は解除され、さらに解除されたことが状態保存部３１０に保存されることになる。
【００６９】
図１２には、領域４０１から１枚と、領域４０２から１枚とが選択された場合の例を示しているが、図１３に示すように、領域４０１から２枚選択し、交換することも可能である。このとき、図１３（ａ）に示すように同じ領域４０１から選択された２つの画像を、プレビュー画面の上側の領域４０６と下側の領域４０７に分けて表示してもよいし、図１３（ｂ）のように上側の領域４０６に並べて表示してもよい。
【００７０】
図１１は、２つの画像が選択された後、『ＯＫ』釦４０３がタッチされた際の処理を示している。
【００７１】
ステップＳ１１０１では、画像変換処理部３０６が、領域４０６や領域４０７に画像が選択されていることを示す選択情報を状態保存部３１０より取得する。ステップＳ１１０２では、画像の交換前から画像の交換後の設定となるように、画像変換処理部３０６が交換後のジョブ属性情報をジョブ保存部３０８に更新保存する。
【００７２】
ステップＳ１１０３では、画像変換処理部３０６が、変換後の画像情報を画像保存部３０９に更新保存する。このとき選択画像がどちらも表面の画像である場合は表面画像保存情報を交換後の状態に更新し、選択画像がどちらも裏面である場合は裏面画像保存情報を交換後の状態に更新し、表面と裏面の双方に位置する場合は、表面画像保存情報および裏面画像保存情報の双方を交換後の表示状態となるように更新する。
【００７３】
そして、ステップＳ１１０４では、変更後の情報をもとに、変更後の画像の表示処理を行い、ディスプレイ１０５にプレビュー画面を表示させる。
【００７４】
このような状態で、『ＯＫ』釦４０３を再度タッチすることにより、交換後の画像（プレビュー画面に表示されている画像）が印刷部１０６によって印刷される。
【００７５】
以上のように、プレビュー画面上で画像を選択して、交換受付を行うことで、簡便に画像の交換処理を行うことができる。
【００７６】
ところで、本実施例で示す印刷システムでロール紙に印刷された画像は、印刷後に製本されたりすることになるが、その際に２つの画像が見開きに配置されることで１つの画像が形成されている場合もある。このような場合に、片一方の画像のみが図１１〜図１３で説明したような交換処理で交換されてしまうと、見開きに配置できなくなってしまい、１枚の画像を形成する２つの画像がバラバラな位置となってしまうことになる。
【００７７】
このような状態を防止するためには、見開きに配置されることで１つの画像を形成する２つの画像のいずれか１方が選択された場合でも、２つの画像がセットで移動するように制御することが必要である。図１４〜１６を用いて、２つの画像がセットで移動するように２つの画像を連携する際の連携処理について説明する。
【００７８】
図１５は、２つの画像を連携処理する際の画面を示したものである。図１５（ａ）に示すように、２頁目と３頁目を連携処理する場合には、これらの２つの画像をタッチした後に、『見開き連携』釦４０５をタッチすることで見開き連携が行われる。すなわち、このような連携処理を行うことで、２つの画像が関連した位置関係にあることを予め規定しておくことができる。いずれの画像が連携処理をされるにあたり、選択されているかを識別しやすくするために、領域４０６に表示するようにしてもよい。また、図１５（ａ）に示すように複数の見開き連携処理を同時に行えるようにしてもよい。具体的には、６頁目と７頁目の選択状態を領域４０７に表示したり、このような状態で『見開き連携』釦４０５をタッチすることで、２つの連携処理を同時に行うようにしてもよい。
【００７９】
また、このような連携処理が行われた後には、図１５（ｂ）に示すように破線で２つの頁画像を結ぶことにより、連携されている画像を識別できるようにすることが好ましい。
【００８０】
なお、製本条件から連携処理できないと判断される、２つの頁が選択された状態で『見開き連携』釦４０５がタッチされたような場合には、連携処理が行われないように制御することが好ましい。
【００８１】
図１６（ａ）は、印刷システムで印刷後に行われる製本の状態を上側から見た図である。製本条件によっては、図１６（ａ）に示すように中央閉じで製本する場合もある。このような場合には、図１６（ｂ）に示すようにプレビュー画面上の頁の順番が複雑になるが、このような場合には表面側の画像と裏面側の画像とで連携するのみならず、２つの表面側の画像同士や２つの裏面側の画像同士で連携処理が行えるようにしてもよい。
【００８２】
そして連携処理された画像のいずれか一方が、交換する画像として選択された場合には、もう一方の画像も自動的に交換する画像として選択される。そして、交換する先の画像を１つ選択した場合には、自動的に見開き状態で交換動作が行われるようにもう１枚画像が選択される。また、交換する先の画像として連携処理された画像のいずれか一方が、選択された場合にも同様に、対応するもう１枚のが追うが交換する先の画像として自動的に選択される。このような状態で『ＯＫ』釦４０３がタッチされると、２つの画像同士が交換処理される。
【００８３】
以上のように設けることにより、見開きの２枚の画像が１つの画像としてセットになっている場合も加味して画像の交換処理を行うことができる。
【００８４】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００８５】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００８６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８７】
その場合、プログラムの機能を有していれば、オブジェクトコード、インタプリタにより実行されるプログラム、ＯＳに供給するスクリプトデータ等の形態であってもよい。
【００８８】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００８９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００９０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００９２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００９３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００９４】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００９５】
１００  印刷システム
１０５  タッチパネル式のディスプレイ
１０６  印刷部
【図１】
2015101038.tif 000003
【図２】
2015101038.tif 000004
【図３】
2015101038.tif 000005
【図４】
2015101038.tif 000006
【図５】
2015101038.tif 000007
【図６】
2015101038.tif 000008
【図７】
2015101038.tif 000009
【図８】
2015101038.tif 000010
【図９】
2015101038.tif 000011
【図１０】
2015101038.tif 000012
【図１１】
2015101038.tif 000013
【図１２】
2015101038.tif 000014
【図１３】
2015101038.tif 000015
【図１４】
2015101038.tif 000016
【図１５】
2015101038.tif 000017
【図１６】
2015101038.tif 000018